【手続補正書】
【提出日】平成16年4月27日(2004.4.27)
【手続補正１】
【補正対象書類名】明細書
【補正対象項目名】発明の名称
【補正方法】変更
【補正の内容】
【発明の名称】画像圧縮符号化装置及び方法、プログラム、記録媒体
【手続補正２】
【補正対象書類名】明細書
【補正対象項目名】特許請求の範囲
【補正方法】変更
【補正の内容】
【特許請求の範囲】
【請求項１】
入力画像信号を夫々異なる量子化ステップにより量子化する第１の圧縮方式、或いは上記第１の圧縮方式より低圧縮率でありロスの小さい第２の圧縮方式、を等長化単位の総符号量に応じて上記符号化方式選択単位で選択し、これを符号化する画像圧縮符号化装置において、
上記第１の圧縮方式又は上記第２の圧縮方式のうちいずれか一方を符号化方式選択単位毎に選択し、当該選択した圧縮方式についてセレクト信号を発信する選択手段と、
上記発信されたセレクト信号に応じて、上記第１の圧縮方式による符号量、或いは上記第２の圧縮方式による符号量を取り込む切替手段と、
上記切替手段を介して取り込まれた符号量を符号化方式選択単位毎に加算することにより符号化方式選択単位の総符号量を演算する演算手段と、
上記量子化ステップ毎に演算された総符号量を、等長化単位の目標符号量に近づくように制御する制御手段とを備えること
を特徴とする画像圧縮符号化装置。
【請求項２】
上記制御手段は、上記量子化ステップ毎に演算された総符号量を線形補間することにより、等長化単位の目標符号量に近づくように制御すること
を特徴とする請求項１記載の画像圧縮符号化装置。
【請求項３】
上記選択手段は、上記第１の圧縮方式又は上記第２の圧縮方式のうち、符号量の小さい方を選択すること
を特徴とする請求項１記載の画像圧縮符号化装置。
【請求項４】
上記第１の圧縮方式は、入力画像信号をＤＣＴ（Discrete Cosine Transform）変換し、上記ＤＣＴ変換された画像信号を量子化すること
を特徴とする請求項１記載の画像圧縮符号化装置。
【請求項５】
上記第２の圧縮方式は、可逆符号化(Lossless)方式により符号化すること
を特徴とする請求項１記載の画像圧縮符号化装置。
【請求項６】
上記第２の圧縮方式は、入力画像信号をＤＰＣＭ(Differential Pulse Code Modulation)によって符号化すること
を特徴とする請求項５記載の画像圧縮符号化装置。
【請求項７】
上記制御手段は、上記総符号量につき、上記目標符号量を越えないように制御すること
を特徴とする請求項１記載の画像圧縮符号化装置。
【請求項８】
入力画像信号を夫々異なる量子化ステップにより量子化する第１の圧縮方式、或いは上記第１の圧縮方式より低圧縮率でありロスの小さい第２の圧縮方式、を等長化単位の総符号量に応じて符号化方式選択単位で選択し、これを符号化する画像圧縮符号化方法において、
上記第１の圧縮方式又は上記第２の圧縮方式のうちいずれか一方を符号化方式選択単位毎に選択し、当該選択した圧縮についてセレクト信号を発信し、
上記発信されたセレクト信号に応じて、上記第１の圧縮方式による符号量、或いは上記第２の圧縮方式による符号量を取り込み、
上記切替手段を介して取り込まれた符号量を符号化方式選択単位毎に加算することにより等長化単位の総符号量を演算し、
上記量子化ステップ毎に演算された総符号量を、等長化単位の目標符号量に近づくように制御すること
を特徴とする画像圧縮符号化方法。
【請求項９】
上記量子化ステップ毎に演算された総符号量を線形補間することにより、等長化単位の目標符号量に近づくように制御すること
を特徴とする請求項８記載の画像圧縮符号化方法。
【請求項１０】
上記選択において、上記第１の圧縮方式又は上記第２の圧縮方式のうち、符号量の小さい方を選択すること
を特徴とする請求項８記載の画像圧縮符号化方法。
【請求項１１】
上記第１の圧縮方式は、入力画像信号をＤＣＴ（Discrete Cosine Transform）変換し、上記ＤＣＴ変換された画像信号を量子化すること
を特徴とする請求項８記載の画像圧縮符号化方法。
【請求項１２】
上記第２の圧縮方式は、可逆符号化(Lossless)方式により符号化すること
を特徴とする請求項８記載の画像圧縮符号化方法。
【請求項１３】
上記第２の圧縮方式は、入力画像信号をＤＰＣＭ(Differential Pulse Code Modulation)によって符号化すること
を特徴とする請求項１２記載の画像圧縮符号化方法。
【請求項１４】
上記総符号量につき、上記目標符号量を越えないように制御すること
を特徴とする請求項８記載の画像圧縮符号化方法。
【請求項１５】
入力画像信号を夫々異なる量子化ステップにより量子化する第１の圧縮方式、或いは上記第１の圧縮方式より低圧縮率でありロスの小さい第２の圧縮方式、を等長化単位の総符号量に応じて符号化方式選択単位で選択し、これを符号化することをコンピュータに実行させるためのプログラムにおいて、
上記第１の圧縮方式又は上記第２の圧縮方式のうちいずれか一方を符号化方式選択単位毎に選択し、当該選択した圧縮についてセレクト信号を発信し、
上記発信されたセレクト信号に応じて、上記第１の圧縮方式による符号量、或いは上記第２の圧縮方式による符号量を取り込み、
上記切替手段を介して取り込まれた符号量を符号化方式選択単位毎に加算することにより等長化単位の総符号量を演算し、
上記量子化ステップ毎に演算された総符号量を、等長化単位の目標符号量に近づくように制御すること
をコンピュータに実行させるためのプログラム。
【請求項１６】
入力画像信号を夫々異なる量子化ステップにより量子化する第１の圧縮方式、或いは上記第１の圧縮方式より低圧縮率でありロスの小さい第２の圧縮方式、を等長化単位の総符号量に応じて符号化方式選択単位で選択し、これを符号化することをコンピュータに実行させるためのプログラムが記録された記録媒体において、
上記第１の圧縮方式又は上記第２の圧縮方式のうちいずれか一方を符号化方式選択単位毎に選択し、当該選択した圧縮についてセレクト信号を発信し、
上記発信されたセレクト信号に応じて、上記第１の圧縮方式による符号量、或いは上記第２の圧縮方式による符号量を取り込み、
上記切替手段を介して取り込まれた符号量を符号化方式選択単位毎に加算することにより等長化単位の総符号量を演算し、
上記量子化ステップ毎に演算された総符号量を、等長化単位の目標符号量に近づくように制御すること
をコンピュータに実行させるためのプログラムが記録された記録媒体。
【手続補正３】
【補正対象書類名】明細書
【補正対象項目名】００１４
【補正方法】変更
【補正の内容】
【００１４】
そこで本発明は上述した実情に鑑みて提案されたものであり、各ブロック毎にフィードフォワード方式、或いは可逆符号化方式を効率よく選択することにより、フレーム全体の総符号量を効率良く制御可能な画像圧縮符号化装置及び方法、プログラム、記録媒体を提案することを目的とする。
【手続補正４】
【補正対象書類名】明細書
【補正対象項目名】００１７
【補正方法】変更
【補正の内容】
【００１７】
また、本発明を適用したプログラム並びにそのプログラムが記録された記録媒体では、上述した問題点を解決するために、入力画像信号を夫々異なる量子化ステップにより量子化する第１の圧縮方式、或いは上記第１の圧縮方式より低圧縮率でありロスの小さい第２の圧縮方式、を等長化単位の総符号量に応じて符号化方式選択単位で選択し、これを符号化することをコンピュータに実行させるためのプログラムにおいて、上記第１の圧縮方式又は上記第２の圧縮方式のうちいずれか一方を符号化方式選択単位毎に選択し、当該選択した圧縮についてセレクト信号を発信し、上記発信されたセレクト信号に応じて、上記第１の圧縮方式による符号量、或いは上記第２の圧縮方式による符号量を取り込み、上記切替手段を介して取り込まれた符号量を符号化方式選択単位毎に加算することにより等長化単位の総符号量を演算し、上記量子化ステップ毎に演算された総符号量を、等長化単位の目標符号量に近づくように制御することをコンピュータに実行させる。